(57)【要約】【課題】実装面積が小さく、クロストークの少ない多連ノイズフィルタを提供する。【解決手段】複数の誘電体を積層した積層体に、信号側コイルＬｓとグランド側コイルＬｇとかなる複数のノイズフィルタ素子を積層体の厚み方向に配置するとともに、両ノイズフィルタ素子の信号側コイルＬｓ１の軸芯を互いに変位させた。【選択図】図２
2004229268.tif 000002
【特許請求の範囲】
【請求項１】
複数の誘電体層が積層され、且つ端面に信号側入力端子電極、信号側出力端子電極及びグランド端子電極が形成された積層体に、
前記誘電体層の層間に形成された信号側コイルパターンで構成されるとともに、その一端部が前記信号側入力端子電極に接続され、且つ他端部が前記信号側出力端子に接続された信号側コイルと、前記信号側コイルパターンとの間で容量結合するように前記誘電体層の異なる層間に形成されたグランド側コイルパターンで構成されるとともに、その一端部が前記グランド端子電極に接続されるグランド側コイルとから成るノイズフィルタ素子を、
少なくとも前記積層体の上下方向に夫々配置してなる多連ノイズフィルタにおいて
前記上部に配置されたノイズフィルタ素子の信号側コイルのコイル軸芯と、前記下部に配置されたノイズフィルタ素子の信号側コイルのコイル軸芯とを互いに変位させたことを特徴とする多連ノイズフィルタ。
【請求項２】
前記信号側コイルパターンと前記グランド側コイルパターンとは、その一部が厚み方向に誘電体層を介して重なりあい、互いに容量結合されていることを特徴とする請求項１記載の多連ノイズフィルタ。
【請求項３】
前記上部に配置されたノイズフィルタ素子と下部に配置されたノイズフィルタ素子とは、グランド電位の仕切導体膜によって仕切られていることを特徴とする請求項１記載の多連ノイズフィルタ。
【請求項４】
前記上部に配置されたノイズフィルタ素子のグランド側コイルの一端及び下部に配置されたノイズフィルタ素子のグランド側コイルの一端は、前記仕切導体膜を介してグランド端子電極に接続されていることを特徴とする請求項３記載の多連ノイズフィルタ。
【請求項５】
前記上部に配置されたノイズフィルタ素子の信号側コイルのコイル軸芯と、下部に配置されたノイズフィルタ素子のグランド側コイルのコイル軸芯が実質的に同軸であり、且つ上部に配置されたノイズフィルタ素子のグランド側コイルのコイル軸芯と下部に配置されたノイズフィルタ素子の信号側コイルのコイル軸芯が実質的に同軸であることを特徴とする請求項１記載の多連ノイズフィルタ。
【請求項６】
仕切導体膜によって仕切られる前記積層体の上部側及び／又は下部側には、複数のノイズフィルタ素子が前記積層体の横方向に並設されていることを特徴とする請求項３記載の多連ノイズフィルタ。
【請求項７】
前記積層体の横方向に隣り合うノイズフィルタ素子の信号側コイルのコイル軸芯どうしが、前記隣り合うノイズフィルタ素子の形成領域の概略対角線上に配置されていることを特徴とする請求項６記載の多連ノイズフィルタ。
【発明の詳細な説明】
【０００１】
【発明の属する技術分野】
本発明は、デジタル機器より発生する不要な輻射ノイズを低減するノイズフィルタに関し、特に、１つの積層体内に複数のフィルタ素子が併設された多連型ノイズフィルタに関するものである。
【０００２】
【従来の技術】
近年の電子機器の小型化においては、部品のサイズの小型・高密度化の市場の要求が一段と厳しくなっている。特に多素子を同一基板内に収納することにより小型化・高密度化に対応する多連ノイズフィルタの市場ニーズは急激に高まってきている。
【０００３】
以下、従来の多連ノイズフィルタについて説明する。従来の多連ノイズフィルタはＬＣフィルタで構成されたノイズフィルタ素子が平面上で一列に並設されて構成されていた（例えば、特許文献１参照）。
【０００４】
図９は、従来の多連ノイズフィルタの分解斜視図である。なお、図９は、４つのノイズフィルタ素子が併設された多連ノイズフィルタである。
【０００５】
積層体１００は誘電体層１００ａ〜１００ｋが積層され、その積層体１００が並設された４つのノイズフィルタ素子は、信号側コイルとグランド側コイルとを互いに容量成分によって結合されて構成されている。そして、信号側コイルは、信号側コイルを構成するコイルパターンが接続して構成され、グランド側コイルは、グランド側コイルパターンが接続して構成されている。
【０００６】
例えば、第１のノイズフィルタ素子を構成する信号側コイルは、誘電体層１００ｃと１００ｄとの間に配置された引き出し電極２１０ｄ（信号側コイルの一部）と、誘電体層１００ｄと誘電体層１００ｅとの間に配置された例えば３／４パターンの信号側コイルパターン２１０ｅ、誘電体層１００ｅと誘電体層１００ｆとの間に配置された例えば１／４パターンの信号側コイルパターン２１０ｆ、誘電体層１００ｆと誘電体層１００ｇとの間に配置された例えば３／４パターンの信号側コイルパターン２１０ｇ及び誘電体層１００ｇと誘電体層１００ｈとの間に配置された引き出し電極２１０ｈとで構成されている。また、グランド側コイルは、誘電体層１００ｄと誘電体層１００ｅとの間に配置された例えば１／４パターンのグランド側コイルパターン３１０ｅ、誘電体層１００ｅと誘電体層１００ｆとの間に配置された例えば３／４パターンのグランド側コイルパターン３１０ｆ、誘電体層１００ｆと誘電体層１００ｇとの間に配置された例えば１／４パターンのグランド側コイルパターン３１０ｇ及び誘電体層１００ｇと誘電体層１００ｈとの間に配置された引き出し電極３００ｈとで構成されている。尚、同電位のコイルパターンは、各コイルパターンの一端が他のコイルパターンの他端に、ビアホール導体を介して接続されて、所定ターン数のコイルが構成される。
【０００７】
また、例えば、信号側コイルを構成する信号側コイルパターン２１０ｅの一部は、誘電体層１００ｅを介して、グランド側コイルパターン３１０ｆの一部と対向して容量成分を形成し、これらの容量成分により、第１のノイズフィルタ素子を構成する信号側コイルとグランド側コイルとが互いに容量接合されている。
【０００８】
尚、この第１のノイズフィルタ素子と同一の構造のフィルタ素子が、第２のノイズフィルタ素子、第３のノイズフィルタ素子、第４のノイズフィルタ素子として、積層体１００内に並設されている。このような構成により図３に示す等価回路図のような多連ノイズフィルタが達成される。
【０００９】
【特許文献１】
特開２００１−６０８４０号公報
【００１０】
【発明が解決しようとする課題】
しかしながら、上記構造の多連ノイズフィルタでは、ノイズフィルタ素子数が増加すれば、それに伴い、積層体の１００の平面形状が大きくなり、実装面積が大きくなることから、近年要求されている多連ノイズフィルタの小型化に応えられないという問題があった。即ち、１つのノイズフィルタ素子で許容される領域内で所定Ｌ（インダクタンス）とＣ（キャパシタンス）が得られるコイルパターンを構成することは実質的に困難である。また、各素子間の間隔を近接させた場合には、隣接するノイズフィルタ素子間、例えば第１のノイズフィルタ素子と第２のノイズフィルタ素子との間、特に、信号側コイルパターン間でのクロストークが大きくなるという問題があった。
【００１１】
本発明は上述の課題に鑑みて案出されたものであり、その目的は、多連ノイズフィルタを小形化しても、安定した特性が維持でき、しかも、クロストークの発生を有効に抑えることが多連ノイズフィルタを提供することにある。
【００１２】
【課題を解決するための手段】
本発明は、複数の誘電体層が積層され、且つ端面に信号側入力端子電極、信号側出力端子電極及びグランド端子電極が形成された積層体に、
前記誘電体層の層間に形成された信号側コイルパターンで構成されるとともに、その一端部が前記信号側入力端子電極に接続され、且つ他端部が前記信号側出力端子に接続された信号側コイルと、前記信号側コイルパターンとの間で容量結合するように前記誘電体層の異なる層間に形成されたグランド側コイルパターンで構成されるとともに、その一端部が前記グランド端子電極に接続されるグランド側コイルとから成るノイズフィルタ素子を、
少なくとも前記積層体の上下方向に夫々配置してなる多連ノイズフィルタにおいて
前記上部に配置されたノイズフィルタ素子の信号側コイルのコイル軸芯と、前記下部に配置されたノイズフィルタ素子の信号側コイルのコイル軸芯とを互いに変位させた多連ノイズフィルタである。
【００１３】
また、前記信号側コイルパターンと前記グランド側コイルパターンとは、その一部が厚み方向に誘電体層を介して重なりあい、互いに容量結合されている。
【００１４】
また、前記上部に配置されたノイズフィルタ素子と下部に配置されたノイズフィルタ素子とは、グランド電位の仕切導体膜によって仕切られている。
【００１５】
また、前記上部に配置されたノイズフィルタ素子のグランド側コイルの一端及び下部に配置されたノイズフィルタ素子のグランド側コイルの一端は、前記仕切導体膜を介してグランド端子電極に接続されている。
【００１６】
また、前記上部に配置されたノイズフィルタ素子の信号側コイルのコイル軸芯と、下部に配置されたノイズフィルタ素子のグランド側コイルのコイル軸芯が実質的に同軸であり、且つ上部に配置されたノイズフィルタ素子のグランド側コイルのコイル軸芯と下部に配置されたノイズフィルタ素子の信号側コイルのコイル軸芯が実質的に同軸である。
【００１７】
また、仕切導体膜によって仕切られる前記積層体の上部側及び／又は下部側には、複数のノイズフィルタ素子が前記積層体の横方向に並設されている。
【００１８】
前記積層体の横方向に隣り合うノイズフィルタ素子の信号側コイルのコイル軸芯どうしが、前記隣り合うノイズフィルタ素子の形成領域の概略対角線上に配置されている。
【００１９】
【作用】
本発明の多連ノイズフィルタであり、積層体の上下方向に、信号側コイルとグランド側コイルとが互いに容量結合したノイズフィルタ素子が配置されている。
【００２０】
これにより、多連ノイズフィルタを構成するノイズフィルタ素子で許されるＬ（インダクタンス）とＣ（キャパシタンス）のパターン面積の制約が緩和され、所定値のインダクタやキャパシタンスを容易に得ることができる。
【００２１】
また、実装面積についても、小型化され、通信機器や電子機器などの配線基板上での高密度実装などにも容易に対応できる。
【００２２】
前記上部ノイズフィルタ素子を構成する信号コイルのコイル軸芯は、下部ノイズフィルタ素子を構成するコイルのコイル軸芯から変位していることから、これらの２つの信号側コイルでの磁束も変位して、ノイズ特性上、不要な両者間の磁束によるクロストークを有効に抑えることができる。
【００２３】
そして、信号側コイルのコイルパターンとグランドコイルのコイルパターンとは、その一部が厚み方向に誘電体層を介して重なりあい、互いに容量結合されている。これにより、１つのノイズフィルタ素子を構成する信号側コイルとグランド側コイルとの結合度合いを重なり部分の面積で制御できるため、両者の結合度合い、即ち、ノイズフィルタの特性の調整が容易となる。
【００２４】
前記上部ノイズフィルタ素子と下部ノイズフィルタ素子とは、グランド電位の仕切導体膜によって仕切られている。これにより、上部側に位置する上部ノイズフィルタ素子と、下部に位置する下部ノイズフィルタ素子との間に電界結合を防止することができるため、夫々のノイズフィルタ素子の特性が設計どおりの安定した特性が得られることになる。
【００２５】
また、この上部ノイズフィルタ素子のグランド側コイルの一端及び下部ノイズフィルタ素子のグランド側コイルの一端は、前記仕切導体膜を介してグランド端子電極に接続されている。このため、グランド端子電極を、上部ノイズフィルタ素子、下部ノイズフィルタ素子での共用でき、上下に積層する各ノイズフィルタ素子の特に、グランド側コイルを構成するグランドコイルパターンの引き回しが非常に簡単になる。同時に、仕切導体膜でのグランド電位のポテンシャルレベルを一定にすることができるため、上部ノイズフィルタ素子及び下部ノイズフィルタ素子でのグランド電位も安定するため、これによっても、特性の安定化を図ることができる。
【００２６】
前記上部ノイズフィルタ素子を構成する信号側コイルのコイル軸芯と下部ノイズフィルタ素子を構成するグランドコイルのコイル軸芯が実質的同軸であり、且つ上部ノイズフィルタ素子を構成するグランド側コイルのコイル軸芯と下部ノイズフィルタ素子を構成する信号側コイルのコイル軸芯が実質的同軸である。即ち、平面視した時、一方側のノイズフィルタ素子を構成する信号側コイルと、他方側のノイズフィルタ素子を構成するグランド側コイルとが重なることから、平面面積を極小化された多連ノイズフィルタとなる。
【００２７】
また、仕切導体膜によって仕切られる積層体の上部及び／又は下部には、複数のノイズフィルタ素子が積層体の横方向に並設されている。これにより、上下方向に２素子のみならず、横方向も利用して４素子、６素子、８素子などのように任意の素子数を有する多連ノイズフィルタとすることができる。尚、横方向に複数のノイズフィルタ素子を並設した場合には、少なくとも２つのノイズフィルタ素子が上下方向に配置されていたらよく、このため、多連ノイズフィルタの全体のノイズフィルタ素子の素子数は、３素子、５素子・・としてもよい。
【００２８】
また、横方向に並設される多連ノイズフィルタにおいては、隣り合うノイズフィルタ素子に着目すると、夫々のノイズフィルタ素子を構成する信号側コイルのコイル軸芯が、平面視、矩形状の積層体内で対角線状に配置されている。即ち、夫々のノイズフィルタ素子を構成する信号側コイルで形成される磁束どうしが結合しないような配置となるため、夫々のノイズフィル素子間の干渉を有効に抑えることができ、多連ノイズフィルタ全体でのクロストークを抑制できることを示している。
【００２９】
【発明の実施の形態】
以下、本発明の多連ノイズフィルタを図面に基づいて詳説する。図１は本発明の多連ノイズフィルタの外観斜視図であり、図２は本発明の第１の実施例における各コイルパターンなどの導体の接続状態を示す分解斜視図であり、図３は多連ノイズフィルタの等価回路である。なお、説明には、積層体の内部において、上下方向に２つのノイズフィルタ素子が、さらに、横方向に２つのノイズフィルタ素子が配置され、合計４つのノイズフィルタ素子を具備した多連ノイズフィルタを用いて説明し、第１のノイズフィルタ素子と第３のノイズフィルタ素子とが夫々積層体内の上下方向に、第２のノイズフィルタ素子と第４のノイズフィルタ素子とが夫々積層体内の上下方向に配置されており、さらに、第１のノイズフィルタ素子と第２のノイズフィルタ素子とが積層体内の横方向に、第３のノイズフィルタ素子と第４のノイズフィルタ素子とが積層体内の横方向に配置されている。
【００３０】
多連ノイズフィルタは、第１〜第４のノイズフィルタ素子を具備した積層体１と、この積層体１の外表面に形成された第１のノイズフィルタ素子の信号側入出力端子電極５１、６１、第２のノイズフィルタ素子の信号側入出力端子電極５３、６３、第３のノイズフィルタ素子の信号側入出力端子電極５２、６２、第４のノイズフィルタ素子の信号側入出力端子電極５４、６４、第１〜第４のノイズフィルタ素子が共通したグランド側端子電極７、８が夫々形成されている。
【００３１】
積層体１は、チタン酸バリウム、チタンジルコン酸バリウムなどの誘電体材料から成る誘電体層１ａ〜１ｋ、図２では省略している上下マージン層となる誘電体層が積層されて構成されている。尚、コイルパターンや導体膜を形成した誘電体層は、図２では、例えば１１層が積層されて構成されている。
【００３２】
そして、１つのノイズフィルタ素子は、信号側コイルとグランド側コイルとが互いに容量成分を介して結合して構成されており、例えば、４つの多連ノイズフィルタの等価回路は、図３に示すように、第１のノイズフィルタ素子を構成する信号側コイルＬｓ１とグランド側コイルＬｇ１とが容量成分Ｃにより結合している。同様に、第２〜第４のノイズフィルタ素子についても、信号側コイルＬｓ２〜Ｌｓ４とグランド側コイルＬｇ２〜Ｌｇ４とが容量成分Ｃ１〜Ｃ４により結合している。
【００３３】
積層体１の誘電体層１ａ〜１ｋの各層間には、図３の第１〜第４のノイズフィルタ素子における信号側コイルＬｓ１〜Ｌｓ４を構成する信号側コイルパターン２１ａ〜２１ｆ、２２ａ〜２２ｆ、２３ｆ〜２３ｋ、２４ｆ〜２４ｋ、第１〜第４のノイズフィルタ素子のグランド側コイルＬｇ１〜Ｌｇ４を構成するグランド側コイルパターン３１ａ〜３１ｆ、３２ａ〜３２ｆ、３３ｊ〜３３ｆ、３４ｉ〜２４ｆが形成されている。
【００３４】
具体的には、図３の積層体１の左側上部に位置する第１のノイズフィルタ素子は、誘電体層１ａ〜１ｆ上に形成された信号側コイルパターン２１ａ〜２１ｆで構成された信号側コイルＬｓ１と、グランド側コイルパターン３１ｂ〜３１ｅで構成されたグランド側コイルＬｇ１とからなる。
【００３５】
また、図３の積層体１の右側上部に位置する第２のノイズフィルタ素子は、誘電体層１ａ〜１ｆ上に形成された信号側コイルパターン２２ａ〜２２ｆで構成された信号側コイルＬｓ２と、グランド側コイルパターン３２ｂ〜３２ｅで構成されたグランド側コイルＬｇ２とからなる。
【００３６】
同様に、図３の積層体１の左側下部に位置する第３のノイズフィルタ素子は、誘電体層１ｆ〜１ｋ上に形成された信号側コイルパターン２３ｆ〜２３ｋで構成された信号側コイルＬｓ３と、グランド側コイルパターン３３ｇ〜３３ｊで構成されたグランド側コイルＬｇ３とからなる。
【００３７】
図３の積層体１の右側下部に位置する第４のノイズフィルタ素子は、誘電体層１ｆ〜１ｋ上に形成された信号側コイルパターン２４ｆ〜２４ｋで構成された信号側コイルＬｓ４と、グランド側コイルパターン３４ｇ〜３４ｊで構成されたグランド側コイルＬｇ４とから成る。
【００３８】
そして、第１〜第４のノイズフィルタ素子における信号側コイルＬｓ１〜Ｌｓ４を構成する信号側コイルパターン２１ａ〜２１ｆ、２２ａ〜２２ｆ、２３ｆ〜２３ｋ、２４ｆ〜２４ｋ及び第１〜第４のノイズフィルタ素子のグランド側コイルＬｇ１〜Ｌｇ４を構成するグランド側コイルパターン３１ａ〜３１ｆ、３２ａ〜３２ｆ、３３ｇ〜３３ｊ、３４ｇ〜３３ｊは、所定ターンのコイルを構成するように各コイルパターンの一端が厚み方向に隣接するコイルパターンの他端にビアホール導体を介して接続されている。
【００３９】
ここで、誘電体層１ｆ上には、各ノイズフィルタ素子に共通なグランド電位で、上下に位置するノイズフィルタ素子、即ち、第１のノイズフィルタ素子と第３のノイズフィルタ素子とを、同時に第２のノイズフィルタ素子と第４のノイズフィルタ素子とを仕切る仕切導体膜４１ｆが形成されている。そして、各ノイズフィルタ素子を構成するグランド側コイルＬｇ１〜Ｌｇ４と容量成分Ｃｇを介して接続されている。例えば、第１のノイズフィルタ素子を構成するグランド側コイルＬｇ１のコイルパターン３１ｅと仕切導体膜４１ｆが誘電体層１ｅを介して、また、第２のノイズフィルタ素子を構成するグランド側コイルＬｇ２のコイルパターン３２ｅと仕切導体膜４１ｆが誘電体層１ｅを介して、また、第３のノイズフィルタ素子を構成するグランド側コイルＬｇ３のコイルパターン３３ｇと仕切導体膜４１ｆが誘電体層１ｆを介して、また、第４のノイズフィルタ素子を構成するグランド側コイルＬｇ４のコイルパターン３４ｇと仕切導体膜４１ｆが誘電体層１ｆを介して夫々接続されている。尚、この実施例では、仕切り導体膜４１ｆと各グランド側コイルのコイルパターン３１ｅ、３２ｅ、３３ｇ、３４ｇとが容量成分を介して接続されているが、尚、この実施例では、仕切り導体膜４１ｆと各コイルパターン３１ｅ、３２ｅ、３３ｇ、３４ｇのビアホール導体が形成されていない端部で、ビアホール導体を介して直接接続しても構わない。
【００４０】
また、第１のノイズフィルタ素子を構成する信号側コイルＬｓ１は、誘電体層１ａに形成されたコイルパターン２１ａを介して、例えば信号側入力端子電極６１に接続し、誘電体層１ｆに形成されたコイルパターン２１ｆを介して、例えば信号側出力端子電極５１に接続している。同様に、第２のノイズフィルタ素子を構成する信号側コイルＬｓ２は、誘電体層１ａに形成されたコイルパターン２２ａを介して、例えば信号側入力端子電極５３に接続し、誘電体層１ｆに形成されたコイルパターン２２ｆを介して、例えば信号側出力端子電極６３に接続している。
【００４１】
また、第３のノイズフィルタ素子を構成する信号側コイルＬｓ３は、誘電体層１ｋに形成されたコイルパターン２３ｋを介して、例えば信号側入力端子電極５２に接続し、誘電体層１ｆに形成されたコイルパターン２３ｆを介して、例えば信号側出力端子電極６２に接続している。同様に、第４のノイズフィルタ素子を構成する信号側コイルＬｓ４は、誘電体層１ｋに形成されたコイルパターン２４ｋを介して、例えば信号側入力端子電極６４に接続し、誘電体層１ｆに形成されたコイルパターン２４ｆを介して、例えば信号側出力端子電極５４に接続している。
【００４２】
ここで、重要なことは、上下方向に配置された第１のノイズフィルタ素子と第３のノイズフィルタ素子とが仕切導体膜４１ｆによって、同時に、上下方向に配置された第２のノイズフィルタ素子と第４のノイズフィルタ素子とが仕切導体膜４１ｆによって仕切られていることになる。
【００４３】
積層体１の内部構造をさらに詳細に説明すると、誘電体層１ａと誘電体層１ｂとの層間、例えば誘電体層１ｂ上には約３／４ターン分となるように概略Ｈ字状（またはコ字状）の第１及び第２のノイズフィルタ素子の信号側コイルＬｓ１、Ｌｓ２を構成するコイルパターン２１ｂ、２２ｂと、約１／４ターン分となるように概略Ｉ字状の第１及び第２のノイズフィルタ素子のグランド側コイルＬｇ１、Ｌｇ２を構成するコイルパターン３１ｂ、３２ｂが配置されている。
【００４４】
また、誘電体層１ｂと誘電体層１ｃとの層間、例えば、誘電体層１ｃ上には、約１／４ターン分となるように概略Ｉ字状の第１及び第２のノイズフィルタ素子の信号側コイルＬｓ１、Ｌｓ２を構成するコイルパターン２１ｃ、２２ｃと、約３／４ターン分となるように概略Ｈ状（またはコ字状）の第１及び第２のノイズフィルタ素子のグランド側コイルＬｇ１、Ｌｇ２を構成するコイルパターン３１ｃ、３２ｃが配置されている。
【００４５】
そして、第１のノイズフルタ素子を構成する信号側コイルＬｓ１の信号側コイルパターン２１ｂの一端は、信号側コイルパターン２１ｃの他端にビアホール導体（点線）によって接続され、これにより約１ターンのコイルが形成される。同様に、グランド側コイルＬｇ１においても、グランド側コイルパターン３１ｂの一端が、グランド側コイルパターン３１ｃの他端にビアホール導体（点線）によって接続され、これにより約１ターンのコイルが形成される。第３のノイズフィルタ素子についても同様である。そして、このような接続構造のコイルパターンが、誘電体層１ｄ、１ｅに形成されたコイルパターンについても同様である。
【００４６】
即ち、第１のノイズフィルタ素子の信号側コイルＬｓ１は、信号側コイルパターン２１ａの他端が例えば信号側入力端子電極６１に接続されて、信号側コイルパターン２１ａの一端がビアホール導体を介して信号側コイルパターン２１ｂの他端に接続し、信号側コイルパターン２１ｂの一端がビアホール導体を介して信号側コイルパターン２１ｃの他端に接続し、信号側コイルパターン２１ｃの一端がビアホール導体を介して信号側コイルパターン２１ｄの他端に接続し、信号側コイルパターン２１ｄの一端がビアホール導体を介して信号側コイルパターン２１ｅの他端に接続し信号側コイルパターン２１ｅ一端がビアホール導体を介して信号側コイルパターン２１ｆの他端に接続し、信号側コイルパターン２１ｆの一端が例えば信号側出力端子電極５１に接続されている。また、第１のノイズフィルタ素子のグランド側コイルＬｇ１は、グランド側コイルパターン３１ｂを始端として、グランド側コイルパターン３１ｂの一端がビアホール導体を介してグランド側コイルパターン３１ｃの他端に接続し、グランド側コイルパターン３１ｃの一端がビアホール導体を介してコイルパターン３１ｄの他端に接続し、グランド側コイルパターン３１ｄの一端がビアホール導体を介してグランド側コイルパターン３１ｅの他端に接続し、グランド側コイルパターン３１ｅが誘電体層１ｅを対してグランド電位となる仕切導体膜４１ｆに容量成分Ｃｇを介して接合し、グランド電位端子電極７、８に接続されている。
【００４７】
その結果、仕切導体膜４１ｆの上部側に配置された第１のノイズフィルタ素子は、約２ターン（端子電極と接続するコイルパターンがあるため若干ターン数が増加するものの）の信号側コイルスＬｓ１、グランド側コイルＬｇ１によって形成される。そして、例えば、誘電体層１ｂを挟んで配置される信号側コイルのコイルパターン２１ｂとグランド側コイルのコイルパターン３１ｃとが、その一部で対向して、結合容量Ｃｇの一部が発生する。同様に、他の誘電体層１ｃ〜１ｅ部分でも結合容量Ｃｇの一部が形成され、これらの容量成分が合成されて、第１のノイズフィルタ素子を構成する信号側コイルＬｓ１とグランド側コイルＬｇ１との結合容量成分Ｃｇとなる。尚、第２のノイズフィルタ素子についても同様である。
【００４８】
ここで、第１のノイズフィルタ素子を構成する信号側コイルＬｓ１の軸芯とグランド側コイルＬｇ１の軸芯をみると、信号側コイルＬｓ１の軸芯は、図２の紙面奥行き側に形成され、グランド側コイルＬｇ１の軸芯は図２の紙面手前側に形成され、両コイルＬｓ１、Ｌｇ１の軸芯が重なりあうように配置されていない。
【００４９】
また、第２のノイズフィルタ素子の各コイルの軸芯をみると、信号側コイルＬｓ２の軸芯は、図２の紙面手前側に形成され、グランド側コイルＬｇ２の軸芯は、図２の紙面奥行き側に形成され、両者の軸芯が重なりあうように配置されていない。
【００５０】
上述のグランド電位の仕切導体膜４１ｆの形状は、各グランド側コイルパターン３１ｅ、３２ｅの自己インダクタンスを一致させるためにベタ状に形成されている。
【００５１】
仕切導体膜４１ｆが形成された誘電体層１ｆよりも、下部に積層される誘電体層１ｇ〜１ｋについても、上述の第１のノイズフィルタ素子、第２のノイズフィルタ素子と同様に、第３のノイズフィルタ素子は約２ターン強の信号側コイルＬｓ３と、この信号側コイルＬｓ３に容量成分Ｃ３で結合した約２ターンのグランド側コイルＬｇ３とで構成され、第４のノイズフィルタは、約２ターン強の信号側コイルＬｓ４と、この信号側コイルＬｓ４に容量成分Ｃ４で結合した約２ターンのグランド側コイルＬｇ４とで構成されている。
【００５２】
ここで、第３及び第４のノイズフィルタ素子において、グランド側コイルＬｇ３、Ｌｇ４は、誘電体層１ｆの仕切導体膜４１ｆに容量結合して、グランド電位の端子電極７、８に接続されている。
【００５３】
また、第３及び第４の信号側コイルＬｓ３、Ｌｓ４の一端は、誘電体層１ｋ上に形成されたコイルパターン２３ｋ、２４ｋを介して、例えば信号側入力端子電極５３、６４に接続され、第３及び第４の信号側コイルＬｓ３、Ｌｓ４の他端は、誘電体層１ｆ上に形成されたコイルパターン２３ｆ、２４ｆを介して、例えば信号側出力端子電極６３、５４に接続されている。
【００５４】
そして、第３のノイズフィルタ素子を構成する信号側コイルＬｓ３の軸芯とグランド側コイルＬｇ３の軸芯をみると、信号側コイルＬｓ３の軸芯は、図２の紙面手前側に形成され、グランド側コイルＬｇ３の軸芯は図２の紙面奥行き側に形成され、両コイルＬｓ３、Ｌｇ３の軸芯が重なりあうように配置されていない。また、第４のノイズフィルタ素子の各コイルの軸芯をみると、信号側コイルＬｓ４の軸芯は、図２の紙面奥行き側に形成され、グランド側コイルＬｇ２の軸芯は、図２の紙面手前側に形成され、両者の軸芯が重なりあうように配置されていない。
【００５５】
尚、各誘電体層１ａ〜１ｋ上に形成された全てのコイルパターン、誘電体層１ａ〜１ｋの厚み方向に形成されたビアホール導体は、Ａｇ系（Ａｇ単体またはＡｇ合金）またはＣｕ系（Ｃｕ単体またはＣｕ合金）を主成分とする導体から構成されている。また、信号側入出力端子電極５１〜５４、６１〜６４及びグランド側端子電極７、８はＡｇ等を主成分とする下地導体膜上に、その表面にＮｉメッキや半田メッキ等の層を形成しても良い。
【００５６】
本発明において、積層体１の上下に配置した例えば、第１のノイズフィルタ素子と、第３のノイズフィルタ素子においては、第１のノイズフィルタ素子を構成する信号側コイルＬｓ１の軸芯と、第３のノイズフィルタ素子を構成する信号側コイルＬｓ３の軸芯とが、変位するように、第１のノイズフィルタ素子、第３のノイズフィルタ素子が配置されている。即ち、第１のノイズフィルタ素子を構成する信号側コイルＬｓ１の軸芯は、図２の紙面奥行き側に形成され（グランド側コイルＬｇ１の軸芯は図２の紙面手前側に形成され）、第３のノイズフィルタ素子の信号側コイルＬｓ３の軸芯は、図２の紙面手前側に形成され（グランド側コイルＬｇ３の軸芯は図２の紙面奥行き側に形成され）ており、第１のノイズフィルタ素子を構成する信号側コイルＬｓ１の軸芯と、第３のノイズフィルタ素子を構成する信号側コイルＬｓ３との軸芯が実質的には重なりあうことがなく配置されている。
【００５７】
また、積層体１の右側の上下に配置された第２のノイズフィルタ素子と、第４のノイズフィルタ素子についても同様である。
【００５８】
このような多連型ノイズフィルタは、誘電体層１ａ〜１ｋとなるグリーンシートの所定位置にビアホール導体となる貫通孔を形成し、この貫通孔に導電性ペーストを充填するとともに、グリーンシートの表面に所定形状のコイルパターンとなる導体膜、または、仕切導体膜となる導体膜を、導電性ペーストの印刷により形成し、その後、所定積層順にこのグリーンシート及び上下マージン層となるグリーンシートを積層圧着し、未焼成の積層体を裁断し、８００〜１０５０℃で焼成処理して積層体１を形成する。その後，この積層体１の概表面に、端子電極５１〜５４、６１〜６４となる導体膜を焼き付け処理、メッキ処理を施して形成する。
【００５９】
このようにして上下方向に配置されたノイズフィルタ素子のみ着目すると、各ノイズフィルタ素子の信号側コイル及びグランド側コイルの両端部は端子電極との接続構造によって若干形状が異なるものの、図５（ａ）〜（ｄ）に示すコイルパターンが用いられる。尚、図５中、白抜きのコイルパターンは、例えば信号側コイルのコイルパターンを示めし、黒塗りコイルパターンは、例えばグランド側コイルのコイルパターンを示している。
【００６０】
即ち、図５（ａ）、（ｂ）に示すコイルパターンにより、上部のノイズフィルタ素子を構成し、図５（ｃ）、（ｄ）に示すコイルパターンにより、下部のノイズフィルタ素子を構成している。
【００６１】
即ち、上部ノイズフィルタ素子を構成する信号側コイルは、コイルバターンＳ１、Ｓ１’によって構成され、グランド側コイルは、コイルパターンＧ１、Ｇ１’によって構成される。下部ノイズフィルタ素子を構成する信号側コイルは、コイルバターンＳ３、Ｓ３’によって構成され、グランド側コイルは、コイルパターンＧ３、Ｇ３’によって構成され、上述したように、上部ノイズフィルタ素子を構成する信号側コイルＬｓ１の軸芯と、下部ノイズフィルタ素子を構成する信号側コイルＬｓ３の軸芯とが変位させることかできる。このことから、図５（ａ）〜（ｄ）においては、上部及び下部に位置するノイズフィルタ素子を構成する信号側コイル及びグランド側コイルを図５の紙面で上下逆のパターンとしても構わない。いずれにしても、上部ノイズフィルタ素子の信号側コイルＬｓ１と下部ノイズフィルタ素子を構成する信号側コイルＬｓ３の軸芯を変位させて配置していることから、例えば、第１のノイズフィルタ素子を構成する信号側コイルＬｓ１の軸芯を通過する磁束が、第１のノイズフィルタ素子を構成する信号側コイルＬｓ１の下部に配置する第３のノイズフィルタ素子を構成する信号側コイルＬｓ３に及ぼす影響が極小化することができる。
【００６２】
尚、上述したように、第１のノイズフィルタ素子と、第１のノイズフィルタ素子の下部に位置する第３のノイズフィルタ素子とが、実質的には、誘電体層１ｆに形成されたグランド電位の仕切導体膜４１ｆにより、電界的にも遮断されるため、上述の磁界の影響の低減とともに、電界の影響も同時に低減させることができるため、第１のノイズフィルタ素子、第３のノイズフィルタ素子ともに、設計どおりの所望の特性を維持でき、特性の安定化が図れ、同時に、１つ分の素子形成領域に２つのノイズフィルタ素子を配置できるため実装面積を小さくすることができる。
【００６３】
図４はこのように構成した本発明の多連ノイズフィルタにおいて、同一積層体１内の上下（厚み）方向に配置した２つのノイズフィルタ素子のクロストークによる周波数減衰特性の変化を示す特性図である。図４において、実線で示すＴ２は、同一の積層体１内の上下方向に配置したノイズフィルタ素子の信号側コイルを、実質的に同一軸芯となるように配置した多連ノイズフィルタの特性であり、点線で示すＴ１は、本発明の第１のノイズフィルタ素子、第３のノイズフィルタ素子（または、第２のノイズフィルタ素子、第４のノイズフィルタ素子）のように、ノイズフィルタ素子の信号側コイルの軸芯を互いに変位させた場合の特性である。
【００６４】
図４から理解できるようにノイズフィルタ素子を構成する信号側コイルどうしの軸芯を変位させた場合は、特に、周波数５００ＭＨｚ以上の帯域でクロストークによる減衰特性の劣化が改善される。
【００６５】
尚、多連ノイズフィルタの高周波特性の向上させるために、コイルパターン及び仕切り導体膜４１ｆ、端子電極５１〜５４、６１〜６４をＣｕ系材料で構成し、誘電体層１ａ〜１ｋの材料を、チタン酸ジルコン酸カルシウムなどを主成分酸化物の非還元性誘電体材料を用いても構わない。この複合酸化物に低温焼成が可能なガラス材料などの助材を添加しておくこともできる。
【００６６】
上述の図２及び図５では、積層体１内の上部側に配置されたノイズフィルタ素子の信号側コイルのコイルパターン、グランド側コイルのコイルパターンと、このノイズフィルタ素子の下部に配置されるノイズフィルタ素子の信号側コイルのコイルパターン、グランド側コイルのコイルパターンとの関係及び仕切導体膜の作用について説明した。
【００６７】
また、図２に示すように、４素子のノイズフィルタ素子では、誘電体層の同一平面上に、異なるノイズフィルタ素子のコイルパターンを形成している。
【００６８】
この場合は、例えば、誘電体層１ｂ上に形成される２つのノイズフィルタ素子の信号側コイル及びまたはグランド側コイルのコイルパターンは、図６（ａ）〜（ｄ）に示す４つパターンがあげられる。尚、図６（ａ）〜図６（ｄ）において、白抜きのコイルパターンは、例えば信号側コイルのコイルパターンを示し、黒塗りコイルパターンは、例えばグランド側コイルのコイルパターンを示している。また、図中、Ｓ０は、信号コイルの軸芯部分を示している。
【００６９】
図６（ａ）は、図２に示すコイルパターンである。この場合、並設された２つのノイズフィルタ素子、例えば、第１のノイズフィルタ素子、第２のノイズフィルタ素子を信号側コイルＬｓ１、Ｌｓ２の軸芯が、互いに、矩形状の誘電体層１ｂの対角線上となるようにコイルパターンＳ１、Ｓ２、Ｇ１、Ｇ２が形成されている。尚、この誘電体層１ｂ上の３／４パターンのコイルパターンは、信号側コイルのコイルパターンＳ１、Ｓ２になっている。
【００７０】
図６（ｂ）は、並設された２つのノイズフィルタ素子、例えば、第１のノイズフィルタ素子、第２のノイズフィルタ素子を信号側コイルＬｓ１、Ｌｓ２の軸芯が、互いに矩形状の誘電体層１ｂの並設されるようにコイルパターンＳ１、Ｓ２、Ｇ１、Ｇ２が形成されている。尚、この誘電体層１ｂ上の３／４パターンのコイルパターンは、信号側コイルのコイルパターンＳ１と、グランド側コイルのコイルパターンＧ２が混在されている。
【００７１】
図６（ｃ）は、並設された２つのノイズフィルタ素子、例えば、第１のノイズフィルタ素子、第２のノイズフィルタ素子を信号側コイルＬｓ１、Ｌｓ２の軸芯が、互いに矩形状の誘電体層１ｂの並設されるようにコイルパターンＳ１、Ｓ２、Ｇ１、Ｇ２が形成されている。尚、この誘電体層１ｂ上の３／４パターンのコイルパターンは、信号側コイルのコイルパターンＳ１、Ｓ２となっている。
【００７２】
図６（ｄ）は、並設された２つのノイズフィルタ素子、例えば、第１のノイズフィルタ素子、第２のノイズフィルタ素子を信号側コイルＬｓ１、Ｌｓ２の軸芯が、互いに矩形状の誘電体層１ｂの対角線上になるようにコイルパターンＳ１、Ｓ２、Ｇ１、Ｇ２が形成されている。尚、この誘電体層１ｂ上の３／４パターンのコイルパターンは、信号側コイルのコイルパターンＳ１と、グランド側コイルのコイルパターンＧ２が混在されている。
【００７３】
尚、図６では、誘電体層１ｂのみを示しているが、誘電体層１ｃのコイルパターンにおいては、３／４パターンのコイルパターンが、１／４パターンのコイルパターンとなる。
【００７４】
このような図６において、第１のノイズフィルタ素子の信号側コイルＬｓ１の軸芯と第２のノイズフィルタ素子の信号側コイルＬｓ２の軸芯を通過する磁束が影響し合わないように、信号側コイルの軸芯ＳＯが互いに対角線上に位置させることが望ましく、たとえば、図６（ａ）のパターンと、図６（ｄ）のパターンが望ましい。尚、図６（ｂ）（ｃ）においては、第１のノイズフィルタ素子の信号側コイルＬｓ１の軸芯と第２のノイズフィルタ素子の信号側コイルＬｓ２の軸芯が並設されているが、この場合、信号側コイルの軸芯を通過する磁束が互いに影響しない程度に、ノイズフィルタ素子の間隔を広げればよい。
【００７５】
尚、上述の実施例では、積層体内に、上下２段にノイズフィルタ素子を配置した例で示したが、３段以上にノイズフィルタ素子を積層しても構わない。この場合、奇数番目のノイズフィルタ素子どうしの例えば信号側コイルの軸芯を同一にして、偶数番目のノイズフィルタ素子の信号側コイルの軸芯と相違させるようにすればよい。
【００７６】
次に本発明の第２の実施例についてついて説明する。図７は第２の実施例の分解斜視図であり、図７においては図２に示す第１の実施例と同様の機能のものに同一符号を付している。
【００７７】
第２の実施例の特徴的なところは、信号側コイルパターンとグランド側コイルパターンの同一平面上のパターン配置を工夫することにより、信号側入出力端子電極の信号の伝送方向を同一方向に統一したところにある。
【００７８】
具体的には第１の実施例では、図１の外観斜視図において信号側入出力端子電極５１〜５４，６１〜６４を、信号側入力端子電極は、第１〜第４のノイズフィルタ素子の信号側入力端子電極は６１，５２，５３、６４であり、信号側出力端子電極は５１，６２，６３，５４となっており、入出力電極が互い違いの配置であり、信号の伝送方向も互いに逆向きとなり双方向の伝送方向となっている。
【００７９】
これに対し、図７に示す第２の実施例においては、図１の外観斜視図に示す信号側入出力端子電極５１〜５４，６１〜６４を、信号側入力端子電極は６１，６２，６３，６４，とし、信号側出力端子電極は５１，５２，５３，５４としており、入出力電極の引き出し方向を同一方向とし、信号の伝送方向も同一方向となり一方方向の伝送方向となっている。したがって、第２の実施例は第１の実施例に比べて、より実使用に適した構造であるといえる。
【００８０】
次に図８を用いて第２の実施例についてより詳細に説明する。
【００８１】
図８（ａ）〜（ｃ）は同一平面上の信号側コイルパターンとグランド側コイルパターンの配置例であり、各分図の上段が１層目１ａ、中段が２層目１ｂ、下段が３層目１ｃの配置図である。
【００８２】
図８（ａ）〜（ｃ）には、第２の実施例におけるパターンの配置例として、１層目１ａの信号側コイルパターン２１ａ、２２ａの配置に応じて、２層目１ｂ、３層目１ｃの配置パターンを３通り示している。また、４層目、５層目の配置はそれぞれの配置の２層目、３層目の配置の繰り返すこととなる。
【００８３】
以下、図８の各分図に示したパターンについて個々に説明する。
【００８４】
図８（ａ）は図７に示すコイルパターンである。この場合、並設された２つのノイズフィルタ素子、例えば、第１のノイズフィルタ素子、第２のノイズフィルタ素子を信号側コイルＬｓ１、Ｌｓ２の軸芯が、互いに、同一方向（図７の紙面手前側）となるように図８（ａ）の矩形状の誘電体層１ｂ上にコイルパターン２１ｂ、２２ｂ、３１ｂ、３２ｂが形成されている。
【００８５】
図８（ｂ）は、並設された２つのノイズフィルタ素子、例えば、第１のノイズフィルタ素子、第２のノイズフィルタ素子を信号側コイルＬｓ１、Ｌｓ２の軸芯が、互いに、逆方向（第１のノイズフィルタ素子は紙面手前側、第２のノイズフィルタ素子は紙面奥行き側）となるように図８（ｂ）の矩形状の誘電体層１ｂ上にコイルパターン２１ｂ、２２ｂ、３１ｂ、３２ｂが形成されている。
【００８６】
図８（ｃ）は、並設された２つのノイズフィルタ素子、例えば、第１のノイズフィルタ素子、第２のノイズフィルタ素子を信号側コイルＬｓ１、Ｌｓ２の軸芯が、互いに、同一方向（図７の紙面奥行き側）となるように図８（ｃ）の矩形状の誘電体層１ｂ上にコイルパターン２１ｂ、２２ｂ、３１ｂ、３２ｂが形成されている。
【００８７】
尚、本発明は上述した実施形態に限定されるものではなく、本発明の要旨を逸脱しない範囲において種々の変更、改良等が可能である。
【００８８】
【発明の効果】
以上のように本発明の多連ノイズフィルタは、積層体内に上下方向に配置されたノイズフィルタ素子を構成する信号側コイルの軸芯が互いに変位しているため、両者のノイズフィルタ素子間でのクロストークを有効に抑えることができる。また、この構成により、多連ノイズフィルタの実装面積を減少させることができ、もって、多連ノイズフィルタの小形化に大きく寄与できる。
【００８９】
さらに、仕切導体膜によって、上下方向に配置されたノイズフィルタ素子を仕切ることにより、両ノイズフィルタ素子間の静電的結合によるクロストークを抑制できる。
【図面の簡単な説明】
【図１】本発明における多連ノイズフィルタの外観斜視図である。
【図２】本発明の第１の実施例における多連ノイズフィルタを構成する積層体の分解斜視図である。
【図３】本発明における多連ノイズフィルタの等価回路図である。
【図４】上下に配置した多連ノイズフィルタにおけるノイズフィルタ素子の信号側コイルの軸芯の変位によるフィルタ特性を示す特性図である。
【図５】（ａ）〜（ｄ）は、積層体上下方向に配置されたノイズフィルタ素子に用いるとコイルパターンを示す平面図である。
【図６】（ａ）〜（ｄ）は、積層体の横方向に配置されたノイズフィルタ素子に用いるとコイルパターンを示す平面図である。
【図７】本発明の第２の実施例における多連ノイズフィルタを構成する積層体の分解斜視図である。
【図８】（ａ）〜（ｃ）は、第２の実施例におけるノイズフィルタ素子に用いる１層目〜３層目のコイルパターンを示す平面図である。
【図９】従来の多連ノイズフィルタの内部構造を示した分解斜視図である。
【符号の説明】
１・・・積層体
２１ａ〜２１ｆ，２２ａ〜２２ｆ，２３ｋ〜２３ｆ，２４ｋ〜２４ｆ・・・信号側コイルパターン
３１ｂ〜３１ｅ，３２ｂ〜３２ｅ，３３ｊ〜３３ｇ，３４ｊ〜３４ｇ・・・グランド側コイルパターン
４１ｆ・・・仕切り導体膜
５１〜５４，６１〜６４・・・信号側入出力端子電極
７，８・・・グランド端子電極
Ｌｓ１〜Ｌｓ４・・・信号側コイル
Ｌｇ１〜Ｌｇ６・・・グランド側コイル
Ｃｇ・・・接合容量
【図１】
2004229268.tif 000003
【図２】
2004229268.tif 000004
【図３】
2004229268.tif 000005
【図４】
2004229268.tif 000006
【図５】
2004229268.tif 000007
【図６】
2004229268.tif 000008
【図７】
2004229268.tif 000009
【図８】
2004229268.tif 000010
【図９】
2004229268.tif 000011